(57)【要約】【課題】水平面上の各方向における横揺れを低減できるテーブルを提供することを目的とする。【解決手段】本願発明のテーブルは、左右方向に配設された複数の脚体２の上部を天板用梁部材３で連結して構成される骨組み４上に、天板１を固定支持する。脚体２上部の前後両端に、天板１下面に突設された固定用部材１１が挿入される凹部２１が穿設されるとともに、脚体２上部の前後方向中途部に天板用梁部材３が連結されている。凹部２１に固定用部材１１が嵌合されるとともに、脚体２上面及び天板用梁部材３上面に天板１下面が固定されて、天板１が骨組み４上に支持される。【選択図】図１
2019076590.tif 000002
【特許請求の範囲】
【請求項１】
左右方向に配設された複数の脚体の上部を天板用梁部材で連結して構成される骨組み上に、天板を固定支持するテーブルであって、
前記脚体上部の前後両端に、前記天板下面に突設された固定用部材が挿入される凹部が穿設されるとともに、前記脚体上部の前後方向中途部に前記天板用梁部材が連結され、
前記凹部に前記固定用部材が嵌合されるとともに、前記脚体上面及び前記天板用梁部材上面に前記天板下面が固定されて、前記天板が前記骨組み上に支持されることを特徴とするテーブル。
【請求項２】
前記脚体は、前記凹部を上端に有する柱状の脚部を前後一対に備えており、前後一対の前記脚部の上端を前後方向の上側梁部で連結して構成されていることを特徴とする請求項１に記載のテーブル。
【請求項３】
前記脚体は、前記天板の左右両縁側に立設しており、前記固定用部材が前記天板の四隅に配設されることを特徴とする請求項１又は２に記載のテーブル。
【請求項４】
複数の前記天板が左右に隣接して配設されるとともに、左右端位置に設けられる左右一対の端部脚体と左右中途位置に設けられる中間脚体とで、複数の前記天板が支持されており、
前記端部脚体上部の前後両端に前記凹部が穿設されるとともに、左右端位置の前記天板に前記固定用部材が設置されることを特徴とする請求項１又は２に記載のテーブル。
【発明の詳細な説明】
【技術分野】
【０００１】
本願発明は、複数の脚体で天板を支持するテーブルに関するものである。
【背景技術】
【０００２】
テーブルは、一般的に、立設させた４本の柱状の脚で天板の四隅を支持させるように構成されている（特許文献１参照）。また、従来のテーブルとして、前後方向（天板の幅方向）に延びた脚座に支柱を立設して脚体を構成し、当該脚部により天板の左右側縁部分を支持させるものも提供されている（特許文献２及び３参照）。
【先行技術文献】
【特許文献】
【０００３】
【特許文献１】実公昭５１−０３８４８３号公報
【特許文献２】実公平３−０１９７７３号公報
【特許文献３】特許第４２３８１０１号公報
【発明の概要】
【発明が解決しようとする課題】
【０００４】
ところで、天板四隅に柱状の脚を設けた構成では、天板面積が広くなった場合、その支持強度が不十分となり、天板の横揺れが発生する。そのため、特許文献１のテーブルでは、上記構成のテーブルにおける天板の支持強度を高めるべく、４本の脚それぞれを互いに補強材で連結させている。しかしながら、補強材を脚で連結した場合、テーブルの使用者の足下に補強材が配置されるため、テーブル上での作業を行う際に、補強材が邪魔となり作業しづらくなってしまう。
【０００５】
一方、特許文献２のテーブルは、天板の左右側縁部分を脚体で支持させた構成となっているため、天板下方に使用者の足を入れることが可能となり、テーブル上での作業性が良くなる。しかしながら、左右の脚体のみで天板を支持させる構造であるため、前後方向の横ブレへの耐久性が低くなる。また、特許文献３のテーブルは、左右の脚体を横ビーム材（梁部材）で連結した構造とすることで、横ブレを抑制した構成としている。しかしながら、横ビーム材に天板を連結しているが脚体と連結されておらず、天板が脚体上方に浮いた位置で固定されているだけでなく、部品点数が多くなってしまう。
【０００６】
本願発明は、このような現状を改善すべく成されたものである。
【課題を解決するための手段】
【０００７】
本願発明のテーブルは、左右方向に配設された複数の脚体の上部を天板用梁部材で連結して構成される骨組み上に、天板を固定支持するテーブルであって、前記脚体上部の前後両端に、前記天板下面に突設された固定用部材が挿入される凹部が穿設されるとともに、前記脚体上部の前後方向中途部に前記天板用梁部材が連結され、前記凹部に前記固定用部材が嵌合されるとともに、前記脚体上面及び前記天板用梁部材上面に前記天板下面が固定されて、前記天板が前記骨組み上に支持されるものである。
【０００８】
上記テーブルにおいて、前記脚体は、前記凹部を上端に有する柱状の脚部を前後一対に備えており、前後一対の前記脚部の上端を前後方向の上側梁部で連結して構成されているものとしても構わない。
【０００９】
上記テーブルにおいて、前記脚体における前後一対の前記脚部の下端側が下側梁部で連結されるものとしても構わない。
【００１０】
上記テーブルにおいて、前記脚体が、パネル形状に構成されており、上端面の前後両端に前記凹部を有するものとしても構わない。
【００１１】
上記テーブルにおいて、前記脚体は、前記天板の左右両縁側に立設しており、前記固定用部材が前記天板の四隅に配設されるものとしても構わない。
【００１２】
上記テーブルにおいて、複数の前記天板が左右に隣接して配設されるとともに、左右端位置に設けられる左右一対の端部脚体と左右中途位置に設けられる中間脚体とで、複数の前記天板が支持されており、前記端部脚体上部の前後両端に前記凹部が穿設されるとともに、左右端位置の前記天板に前記固定用部材が設置されるものとしても構わない。
【発明の効果】
【００１３】
本願発明によると、脚体上面及び天板用梁部材上面に天板下面が固定されるため、天板の前後方向及び左右方向それぞれを脚体及び天板用梁部材により固定して支持でき、天板の面内方向に対するテーブルの揺れを抑制できる。また、天板下面の固定用部材を脚体上部の凹部に嵌合させた状態で天板が固定されるため、固定用部材により天板と脚体との相対動（正面視において天板下面と脚体上面が離反するような動き）が抑止されることとなり、テーブルの横揺れを抑制できる。
【図面の簡単な説明】
【００１４】
【図１】第１実施形態に係るテーブルを示しており、（Ａ）は全体の斜視図、（Ｂ）正面図である。
【図２】同テーブルの左側面図である。
【図３】（Ａ）は同テーブルの底面図、（Ｂ）は同テーブルの天板を仮想線で表示した平面図である。
【図４】同テーブルの端部脚と天板との連結部分の構成を示す部分的な分解斜視図である。
【図５】（Ａ）は同テーブルの骨組みに天板を組み付けた際の部分的な斜視図、（Ｂ）は骨組みに天板を組み付ける前の部分的な斜視図である。
【図６】第２実施形態に係るテーブルの全体の斜視図である。
【図７】同テーブルの中間脚体の構成を示す図であって、上半分を断面図とする平面図である。
【図８】同中間脚体の構成を示す図であって、（Ａ）は図７のＢ−Ｂ断面図、（Ｂ）は左側面図である。
【図９】同中間脚体周辺の骨組みの構成を示す部分的な分解斜視図である。
【図１０】テーブルの脚体の別例を示しており、（Ａ）は門型の構成を示す部分的な斜視図であり、（Ｂ）はパネル型の構成を示す部分的な斜視図である。
【発明を実施するための形態】
【００１５】
＜第１実施形態＞
本願発明の第１実施形態について図面に基づいて説明する。図１は、本実施形態のテーブルの構成を示す外観斜視及び正面図であり、図２は、当該テーブルの構成を示す左側面図であり、図３は、該テーブルの構成を示す平面及び底面図である。本実施形態のテーブルは、長方形の天板１を有しており、また、各方向を特定するため、前後・左右の文言を使用するが、図１に示すように、テーブルにおける天板１の幅方向を前後方向とし、これと直交した方向を左右方向と定義している。
【００１６】
図１〜図５に示すように、本実施形態のテーブルは長方形の仕様であり、複数の使用者が着くことができる平面視長方形の天板１と、左右方向に配設された複数の脚体２の上部を天板用梁部材３で連結して構成される骨組み４とを有しており、骨組み４上に天板１が固定支持されている。脚体２は、天板１の左右の側端部を下面側において支持するように、脚体２上面が天板１の下面と連結している。設置床から立設された脚体２上部の前後方向中途部に天板用梁部材３が連結されており、脚体２上面及び天板用梁部材３上面に天板１下面が固定されて、天板１が骨組み４上に支持される。
【００１７】
脚体２上部の前後両端に、天板１下面に突設された固定用部材１１が挿入される凹部２１が穿設されており、凹部２１に固定用部材１１が嵌合されて、骨組み４上における天板１の位置が決定される。脚体２は、凹部２１を上端に有する柱状の脚部２２を前後一対に備えており、前後一対の脚部２２の上端を前後方向の上側梁部２３で連結して構成されている。このとき、脚体２は、脚部２２と上側梁部２３を当初から一体に、又は、後から結合して、側面視略逆Ｕ字状（コ字状）に形成してもよい。
【００１８】
本実施形態では、左右の脚体２はそれぞれ、前後一対の脚部２２の下端側が下側梁部２４で連結されており、側面視（テーブル側面から視て）略矩形枠状（ロ字状）を呈している。すなわち、脚体２は、前後脚部２２と下側梁部２４とで側面視略Ｕ字状（コ字状）をなす脚部材２５と、該脚部材２５における２本の縦メンバである脚部２２の上端部に架設した梁部材である上側梁部２３とで、側面視矩形枠状に形成されている。
【００１９】
また、本実施形態では、脚体２の上側梁部２３及び脚部材２５は、空洞を有するパイプ材で構成されている。そして、上側梁部２３は、その上面を天板１下面と当接させるべく、角パイプ材で構成されており、脚部材２５における前後一対の脚部２２は、上端におけるパイプ材の空間部分を凹部２１として構成している。左右一対の脚体２それぞれの上側梁部２３は、天板１の受座２６を介して２本の天板用梁部材３と連結している。この天板用梁部材３は、上側梁部２３と同様、その上面を天板１下面と当接させるべく、角パイプ材で構成されている。
【００２０】
天板１の受座２６が、上側梁部２３の長手方向両端部（前後両端部）位置に、当該上側梁部２３の内側側面に天板１受けとして設けられている。すなわち、左脚体２における上側梁部２３の右側面に、前後一対の受座２６が固定されており、右脚体２における上側梁部２３の左側面に、前後一対の受座２６が固定されている。左右の脚体２それぞれの受座２６は、左右逆側に設置された受座２６に向かって延びるように設置されている。すなわち、左右の脚体２の上側梁部２３における対向面（対向する内面）に、受座２６が設置されている。
【００２１】
受座２６は、平板を屈曲させて断面が逆Ω字状（ひ字状）となるように構成されており、凹部で構成された梁受け部２６１を前後中央部分に有するとともに、梁受け部２６１による凹部の前後側縁それぞれの上端から前後に延設させた上端面を天板取付け面２６２としている。また、受座２６は、左右一方の側縁を上側梁部２３の左右一側面に当接させて固定することで、受座２６が上側梁部２３に固定される。なお、受座２６は、上側梁部２３に対して溶接固定されるものであってもよいし、例えば、梁受け部２６１または天板取付け面２６２のいずれかにおける左右一方の側縁を延長して屈曲させた連結面を構成し、当該連結面を上側梁部２３の左右一側面に螺着させるものとしてもよい。
【００２２】
天板用梁部材３は、天板１の下面において、左右に延設されて左右の脚体２を連結するとともに、前後一対に設けている。本実施形態では、天板用梁部材３は、角パイプ材で構成されており、天板１の長さ方向に平行に配している。前後一対となる天板用梁部材３それぞれの左右両端が、受座２６を介して上側梁部２３に連結することで、左右の脚体２の上部分に架設される。
【００２３】
上側梁部２３に対して前後一対に固定された受座２６は、梁受け部２６１に天板用梁部材３の端部が上方から挿入されて嵌め込まれるとともに、天板取付け面２６２に天板１が上載される。すなわち、天板用梁部材３の端部が、受座２６と天板１とで狭持された状態となり、天板用梁部材３の端部の周面が、受座２６の梁受け部２６１と天板１の下面とで覆われる。
【００２４】
天板１の下面は、受座２６の天板取付け面２６２と、左右一対の脚体２上面（上側梁部２３上面）と、前後一対の天板用梁部材３上面とに当接した状態で骨組み４上に載置される。そして、天板用梁部材３、上側梁部２３、及び受座２６の天板取付け面２６２それぞれが、下方から挿入されるボルト１３〜１５により天板１下面に締結することで、左右一対の脚体２と天板用梁部材３で構成される骨組み４上に天板１が固定支持される。
【００２５】
また、受座２６は、梁受け部２６１の左右側面の少なくとも一方を貫通する長孔２６３を有しており、長孔２６３に挿入されるボルト１２が、天板用梁部材３端部の左右いずれかの側面に螺着することで、受座２６に天板用梁部材３が固定される。長孔２６３は、左右方向を長手方向とする形状の穴で構成されており、骨組み４に天板１を固定する際に、脚体２と天板用梁部材３との相対位置を左右方向に調整できる。従って、骨組み４に天板１を組み付ける際の組み付け性を向上できる。
【００２６】
各脚体２の下端部の前後両端にアジャスタ（接地部）２７を設けることで、天板１面の高さについて、左右方向だけでなく前後方向についても調整できる。脚体２は、脚部材２５における前後脚部２２それぞれの下端に、アジャスタ２７が下方に向けて突設されている。そして、前後一対となるアジャスタ２７が上下方向に独立して伸縮することで、脚体２の前後方向の高さを調節可能に構成される。脚部材２５における前後脚部２２の下端面に、アジャスタ２７のネジ部が挿入されるネジ穴が設けられており、アジャスタ２７のネジ部がネジ穴に対して螺動することで、アジャスタ２７による高さ調節がなされる。
【００２７】
固定用部材１１が天板１の四隅に配設されており、天板の左右両縁側に立設した左右一対の脚体２の凹部２１に固定用部材１１が挿入されて、天板１が骨組み４上で位置合わせされた状態で載置される。固定用部材１１はそれぞれ、脚体２の脚部２２に設けた凹部２１に対応する位置に配設されており、天板１下面より突設されている。固定用部材１１は、脚部２２の凹部２１に挿入されたときに、固定用部材１１の外周面が凹部２１内周面に当接するよう構成されている。したがって、天板１下面の固定用部材１１を脚体２上部の凹部２１に嵌合させた状態で天板１が固定されるため、固定用部材１１により天板１と脚体２との相対動（天板１下面と脚体２上面が正面視で離反するような動き）が抑止されることとなり、テーブルの横揺れを抑制できる。
【００２８】
本実施形態では、固定用部材１１は、１枚の金属板を屈曲させて構成しており、天板１下面と連結する連結面１１１における隣接する２辺を下方に延設させた板状の挿入部１１２，１１３を有している。即ち、固定用部材１１は、１面の連結面１１１と２面の挿入部１１２，１１３の３面で構成されており、凹部２１に対して挿入部１１２，１１３が挿入されると、挿入部１１２，１１３の外側面が凹部２１の内周面に当接する。また、本実施形態では、連結面１１１の長辺側から延設された挿入部１１２は、その下縁が連結面１１１との接続部より短くなっており、側面視で略台形状に構成されている。これにより、固定用部材１１は、脚体２の凹部２１に挿入しやすくなる。
【００２９】
連結面１１１には、ボルト１８が挿入される貫通穴を有しており、ボルト１８が天板１下面のネジ穴に螺着されて連結面１１１が固定されることで、天板１に固定用部材１１が取り付けられる。また、挿入部１１２，１１３の一方（本実施形態では、連結面１１１の短辺側の挿入部１１３）と、固定用部材１１が挿入される脚部２２それぞれに貫通穴が穿設されており、リベット１９が脚部２２及び固定用部材１１それぞれの貫通穴に挿入されることで、固定用部材１１が脚体２に対して固定される。
【００３０】
なお、固定用部材１１は、連結面１１１の外周辺縁全てに下方に延設させた板状の挿入部１１２，１１３を設けるものとしても構わない。このとき、例えば、連結面１１１の長辺側から延設された２面の連結面１１１を同一の略台形状とするとともに、連結面１１１の短辺側から延設された２面の連結面１１３の一方の高さ方向の長さを短くするものとする。また、固定用部材１１は、連結面１１１の長辺側２面と連結面１１１の短辺側１面の３面に挿入部１１２，１１３を設けるものとしても構わない。
【００３１】
更に、固定用部材１１は、上述のような板材を屈曲させて構成させるものに限らず、弾性を有する樹脂材などによる成形品で構成しても構わない。このとき、固定用部材１１は、天板１下面と連結される上面に比べて下面が小さくなるような立体形状を有するとともに、側面の少なくとも一部が、挿入される脚体２の凹部２１内周面に当接するように構成される。また、固定用部材１１は、その平面視断面の一部が凹部２１断面の一部と同一形状となるように構成される。すなわち、脚体２の脚部２２を円筒パイプで構成する場合、凹部２１断面が円となるため、固定用部材１１の側面を凹部２１の内周面に当接させるべく、側面の一部を凹部２１の内周面に沿った曲面で構成する。
【００３２】
天板１の四隅に位置する脚体２の凹部２１と受座２６とが、骨組み４の上面において、近接位置に配置されている。すなわち、受座２６は、脚体２の上側梁部２３と脚部２２との境界位置近くとなる位置で、上側梁部２３に固定されている。このため、固定用部材１１及び受座２６を固定するためのボルト１３，１５，１８を螺着させるネジ穴が、天板１の四隅に穿設される。すなわち、骨組み４に対して天板１の位置決めを行うための固定用部材１１の固定位置を決めるボルト１８に対するネジ穴の近傍に、受座２６を固定するボルト１３，１５に対するネジ穴が設けられるため、組立時におけるネジ穴の取付け誤差による影響を低減できる。
【００３３】
天板１は、下面四隅に固定された固定用部材１１それぞれが左右の脚体２の前後脚部２２に設けた凹部２１に挿入されて、左右の脚体２上面に固定される。そして、天板１は、下面に穿設された複数のボルト穴にボルト１３〜１５が螺着されて、骨組み４上に固定される。すなわち、天板１の左右両縁が、ボルト１４により脚体２の上側梁部２３上に固定されるとともに、天板１の四隅が、ボルト１３，１５により天板用梁部材３及び受座２６上に固定され、天板１の前後が、ボルト１３により２本の天板用梁部材３上に固定される。
【００３４】
脚体２上面及び天板用梁部材３上面に天板１下面が固定されるため、天板１の前後方向及び左右方向それぞれを脚体２及び天板用梁部材３により固定して支持でき、天板１の面内方向に対するテーブルの揺れを抑制できる。また、天板１下面の固定用部材１１を脚体２上部の凹部２１に嵌合させた状態で天板１が固定されるため、骨組み４上への天板１の設置位置を容易に合わせることができ、テーブルの組立性を向上できる。
【００３５】
本実施形態のテーブルは、使用者が立位又はハイスツールなどに浅く腰かけた状態で使用されるハイテーブルとしたときであっても、骨組み４を脚体２及び天板用梁部材３により平面視略枠状で構成することで、テーブルの剛性を高めることができ、左右方向及び前後方向の横揺れを抑制できる。また、このようなハイテーブルにおいて、脚体２の高さがハイスツールの高さより高く、ハイスツールを天板１下方に収容できる。すなわち、ハイテーブルは、床面から天板１までの高さが通常の椅子の背もたれより高くなるように構成されており、ハイスツールに限らず、椅子をテーブルの天板１下方に収容できる。
【００３６】
＜第２実施形態＞
本願発明の第２実施形態となるテーブルについて、以下に、図６〜図９を参照して説明する。本実施形態のテーブルは、第１実施形態におけるテーブルと異なり、複数の天板を左右方向に並べて配設している。なお、本実施形態では、２枚の天板を左右方向に並べたテーブルを一例として、以下に説明するとともに、第１実施形態のテーブルと同一部分については、同一の符号を付し、その詳細な説明は省略する。
【００３７】
本実施形態のテーブルは、図６〜図９に示すように、２枚の天板１ａ，１ｂをその長手方向（左右方向）で連接するとともに、２枚の天板１ａ，１ｂの連接部を中間脚体５で支持する一方、テーブルの左右側端部に配設した左右の端部脚体２により２枚の天板１ａ，１ｂの辺縁部を支持している。換言すると、２枚の天板１ａ，１ｂが左右に隣接して配設されるとともに、左右端位置に設けられる左右一対の端部脚体２と左右中途位置に設けられる中間脚体５とで、２枚の天板１ａ，１ｂが支持されている。なお、本実施形態における端部脚体２は、第１実施形態における脚体２に相当する。
【００３８】
左天板１ａの左端部下面が、左端部脚体２上面に固定支持される一方、右天板１ｂの右側端部下面が、右端部脚体２上面に固定支持されており、左右の天板１ａ，１ｂの連接部下面が、中間脚体５上面に固定支持されている。そして、左右の端部脚体２上部の前後両端に凹部２１が穿設されるとともに、左右端位置の天板１ａ，１ｂに固定用部材１１が設置されている。すなわち、左天板１ａの左端部下面の前後位置に突設された固定用部材１１が、左端部脚体２上面の凹部２１に挿入される一方で、右天板１ｂの右端部下面の前後位置に突設された固定用部材１１が、右端部脚体２上面の凹部２１に挿入される。
【００３９】
中間脚体５は、設置面から立設させた２本の柱上の脚部５１上端を上側梁部５２で架設して構成されている。上側梁部５２は、左右の天板１ａ，１ｂの境界線に沿って前後方向に延設されており、その上面左側に左天板１ａの右縁部分が搭置される一方、その上面右側に右天板１ｂの左縁部分が載置される。そして、前後一対となる脚部５１は、上側梁部５２の前後中途位置で離間されて配置されており、前後脚部５１の間となる空間の左右開口部が、化粧板５３によって覆われる。また、前後の脚部５１それぞれの下端には、アジャスタ（接地部）５４を設けられており、上下方向に独立して伸縮することで、中間脚体５の前後方向の高さを調節可能に構成される。
【００４０】
中間脚体５における上側梁部５２の前後方向長さは、前後の脚部５１間の距離よりも長く、端部脚体２における上側梁部２３の前後方向長さと同等となっている。すなわち、中間脚体５は、前後の脚部５１と上側梁部５２とによって、上側梁部５２が前後の脚部５１よりも前後に延びたΠ字状で構成されている。また、本実施形態では、前後の脚部５１は、互いの脚部５１と相対する面（内側面）の中央部分を上下方向に切り欠いて構成され、その平面断面が略Ｃ字状となっている。すなわち、前脚部５１の場合、左右両側面の後端を屈曲させて、後側面を上下方向に中央を切り欠いた面で構成している。そして、前脚部５１において、左右両側面の後端から屈曲させて構成される後側面の左右部分それぞれは、平面断面がＬ字状となるように、前側面に向かって更に屈曲されている。
【００４１】
化粧板５３は、前後両縁を左右方向に向けて屈曲させて構成されており、化粧板５３の前後両端それぞれが、前後一対となる連結部材５５により前後の脚部５１それぞれに連結されている。連結部材５５は、脚部５１の開口部に向けて挿入される挿入部５１１を有しており、脚部５１の左右両側面から屈曲された屈曲部の先端に挿入部５１１先端を係止させて、脚部５１の開口部に固定されている。なお、挿入部５１１は、脚部５１の開口部から内側に向けて突設されており、脚部５１の左右両側面からの屈曲部と当接している。
【００４２】
更に、連結部材５５は、化粧板５３の前後縁の一方を挟持する挟持部５１２を挿入部５１１の左右外側に有しており、挟持部５１２を化粧板５３の屈曲部に当接させることで、挿入部５１１先端と挟持部５１２とで脚部５１とけ化粧板５３とを挟持している。この連結部材５５は、前後の脚部５１の開口部に対して上下一対に挿入されており、左右一対の化粧板５３の前後縁それぞれが、上下一対の連結部材５５により前後の脚部５１と共に挟持されて固定される。
【００４３】
上側梁部５２の左右側面それぞれには、前後一対となる受座５６が固定されており、受座５６を介して天板用梁部材３と連結している。すなわち、上側梁部５２の左側面に固定される前後一対の受座５６は、左端部脚体２の上側梁部２３に固定された前後一対の受座２６と共に、前後一対の天板用梁部材３を支持する。同様に、上側梁部５２の右側面に固定される前後一対の受座５６は、右端部脚体２の上側梁部２３に固定された前後一対の受座２６と共に、前後一対の天板用梁部材３を支持する。受座５６は、上側梁部５２の左右側面それぞれに対して、上側梁部５２の前後端側となる位置に固定されている。
【００４４】
受座５６は、受座２６と同様、平板を屈曲させて断面が逆Ω字状（ひ字状）となるように構成されており、凹部で構成された梁受け部５６１を前後中央部分に有するとともに、梁受け部５６１による凹部の前後側縁それぞれの上端から前後に延設させた上端面を天板取付け面５６２としている。また、受座５６は、梁受け部５６１の左右側縁の一方を屈曲させて情報に延設させた連結面５６３を有しており、梁受け部５６１と連結面５６３とによる断面をＬ字状で構成している。
【００４５】
受座５６は、連結面５６３を上側梁部５２の左右一側面に当接させるとともに、連結面５６３の貫通穴に挿入されるボルト５７を上側梁部５２のネジ穴に螺着することで、上側梁部２３に固定される。また、受座５６は、受座２６と同様、梁受け部５６１に天板用梁部材３の端部が上方から挿入されて嵌め込まれるとともに、天板取付け面５６２に天板１ａ，１ｂが上載される。そして、天板用梁部材３、上側梁部５２、及び受座５６の天板取付け面５６２それぞれが、下方から挿入されるボルト１３〜１５により天板１ａ，１ｂ下面に締結する。更に、受座５６は、受座２６と同様、梁受け部５６１の左右側面の少なくとも一方を貫通する長孔５６４を有しており、長孔５６４に挿入されるボルト１２が、天板用梁部材３端部の左右いずれかの側面に螺着することで、受座５６に天板用梁部材３が固定される。
【００４６】
本実施形態のテーブルは、第１実施形態と同様、ハイテーブルとしたときであっても、左右の端部脚体２と共に中間脚体５により天板１を支持することで、テーブルの剛性を高めることができ、左右方向及び前後方向の横揺れを抑制できる。また、天板１の残後長辺と中間脚体５との間に、ハイスツールが収容できるように、中間脚体５が配置されることで、使用者の足が中間脚体５へ衝突することを防止できる。
【００４７】
以上、本願発明の実施形態を説明したが、本願発明は他にも様々に具体化でき、例えば、１枚の天板１を端部脚体２及び中間脚体５によって支持するテーブルとするなど、別の構成においても適用できる。また、脚体（端部脚体）２について、第１及び第２実施形態それぞれにおいて、枠型（ロ型）で構成されるものとしたが、図１０（Ａ）で示す如く、門型で構成されるものとしても構わないし、図１０（Ｂ）で示す如く、パネル型で構成されるものとしても構わない。
【００４８】
図１０（Ａ）における門型の脚体２Ａは、上記各実施形態における脚体（端部脚体）２から下側梁部２４を省略した構成であり、２本の柱状の脚部２２上端に凹部２１を穿設するとともに、２本の脚部２２の上端部分を上側梁部２３で架設して構成される。また、図１０（Ｂ）におけるパネル型の脚体２Ｂは、側面視四角形の板で構成するとともに、その上面の前後端部に凹部２１を穿設して構成される。また、脚体２Ｂは、脚体２Ｂ同士の対向面の上縁に複数のＬ字状の取付け片が取り付けられるものとし、当該取付け片を介して、天板１が脚体２Ｂに固定されるものとしてもよい。
【産業上の利用可能性】
【００４９】
本願発明は、実際にテーブルに具体化できる。従って、産業上利用できる。
【符号の説明】
【００５０】
１  天板
２  脚体
３  天板用梁部材
４  骨組み
５  中間脚体
１１  固定用部材
２１  凹部
２２  脚部
２３  上側梁部
２４  下側梁部
２５  脚部材
２６  受座
【図１】
2019076590.tif 000003
【図２】
2019076590.tif 000004
【図３】
2019076590.tif 000005
【図４】
2019076590.tif 000006
【図５】
2019076590.tif 000007
【図６】
2019076590.tif 000008
【図７】
2019076590.tif 000009
【図８】
2019076590.tif 000010
【図９】
2019076590.tif 000011
【図１０】
2019076590.tif 000012